(57)【特許請求の範囲】
【請求項１】
ハウジング内に内蔵される電動モータと、前記ハウジングに装着されるとともに、発光部が電源と電線を介して接続される照明装置とを備えた電動工具であって、
前記照明装置は、前記発光部が組み付けられたライトベースと、そのライトベースに一体に形成又は取り付け可能に形成され、断面略コ字形に形成されて前記電線の一部又は全部をその内側に収容保持した配線ガイドを有するアッセンブリ構造を備えており、前記ハウジング内に挿入して組み付けられて前記配線ガイドをその開口側を前記ハウジングの内壁面に向けた状態で該内壁面に沿って配設して前記電線が配線される構成とした電動工具。
【請求項２】
請求項１に記載の電動工具であって、前記電線と前記電源とはコネクタによる接続とされ、そのコネクタを構成する雄側部材と雌側部材の一方は前記配線ガイド側に、他方は電源側に相互に対向して配置されており、前記ハウジングの組付け時に、前記雄側部材と前記雌側部材が係合されて電気的に接続される構成としたことを特徴とする電動工具。
【請求項３】
ハウジング内に内蔵される電動モータと、前記ハウジングに装着されるとともに、発光部が電源と電線を介して接続される照明装置とを備えた電動工具であって、前記ハウジングの外面に配線収容溝が形成され、その配線収容溝に前記電線が配線されていることを特徴とする電動工具。
【発明の詳細な説明】
【０００１】
【発明の属する技術分野】
この発明は、例えば電動ルーターや電動ドライバー等の電動工具に係り、詳しくは先端工具の近傍を照らす照明装置を備えた電動工具に関する。
【０００２】
【従来の技術】
先端工具の近傍を照らすための照明装置を備えた電動工具は、例えば米国特許公報第４，０５１，８８０号に記載されている。上記公報に記載の電動ルーターでは、刃具を保持するチャックの近傍、すなわち加工部位を照らすための照明装置がハウジングの先端側に備えられている。これによれば、電動ルーターによる加工作業に際し、加工材と刃具との相対位置の視認性を高めて作業効率を向上することが可能となる。
電動ルーターは、加工材上に載置可能なテーブルを下端部に備え、そのテーブル上にハウジングが縦向きに固定されている。そして、ハウジング内に電動モータが配置され、下部側に電動モータによって回転される刃具保持用のチャック及び照明装置が配置される。また、モータ制御用のモータ電源回路部は、ハウジングの上部側に設けられ、そして、そのモータ電源回路部とハウジングの下部側に配置される照明装置とは電線によって接続される。
【０００３】
【発明が解決しようとする課題】
上記公報に記載の電動ルーターの場合、照明装置と、その照明装置の電源としてのモータ電源回路部とを接続する電線が、ハウジングの外側に剥き出し状態で、しかもハウジングから浮き上がった状態で配線されている。このような外側配線は、見栄えが悪い上に加工作業の邪魔になる可能性がある等の問題がある。なお、上記のような不具合を解消するために、ハウジング内に電線を配線することも考えられるが、電線をハウジング内の機能部品とハウジング内壁面との隙間を通して配線する作業は、極めて難しく、現実的ではない。
【０００４】
本発明は、上述した従来の問題点に鑑みてなされたものであり、その目的とするところは、電源と照明装置とを接続する電気配線作業の簡便化を図るとともに、配線後の電線が加工作業の邪魔にならないように改良された電動工具を提供することにある。
【０００５】
【課題を解決するための手段】
上記課題を達成するため、本発明に係る電動工具は、特許請求の範囲の各請求項に記載の通りの構成を備えた。
請求項１に記載の電動工具においては、照明装置は、電線の一部又は全部を保持した配線ガイドを備えており、その配線ガイドをハウジングの壁面に沿って配設することで前記電線が配線される構成としている。
従って、請求項１に記載の発明によれば、配線ガイドをハウジングに取り付けることにより、その配線ガイドに保持された電線をハウジングの壁面に沿って配線することができる。このため、電線の配線作業を簡単に行うことができる。また、電線はハウジングに沿って配線できることから、ハウジングの外面から突出しない状態での配線が可能となり、電動工具による作業時において、電線が作業の邪魔になるといった問題が解消される。
【０００６】
また、請求項１に記載の電動工具において、照明装置は、発光部が組み付けられたライトベースと、そのライトベースに一体に形成又は取付可能に形成された配線ガイドとからなり、ハウジング内に挿入して組み付られるとともに、組付け状態では配線ガイドがハウジングの内壁面に沿って配設される構成としている。従って、請求項１に記載の発明によれば、ライトベース及び配線ガイドをハウジングに組み付けることによって、配線を含めた照明装置の組付け作業を合理的に行うことができ、組付け性が向上する。また、電線はハウジング内に配線されるため、電動工具による作業時の邪魔にならず、見栄えも向上する。
【０００７】
この場合、請求項２に記載したように、電線と電源とはコネクタによる接続とされ、そのコネクタを構成する雄側部材と雌側部材の一方は前記配線ガイド側に、他方は前記電源側に相互に対向して配置されており、ハウジングの組付け時において、雄側部材と雌側部材が係合されて電気的に接続される構成とすることが好ましい。このような構成を採用することによって、照明装置の組付け作業をより一層簡便化できる。
【０００８】
請求項３に記載の電動工具においては、ハウジングの外面に配線収容溝が形成され、その配線収容溝に電源と照明装置の発光部とを接続する電線が配線される構成としている。従って、請求項３に記載の発明によれば、電線をハウジングの配線収容溝に嵌め込むことで配線できるため、配線取り回し作業を楽に行うことができる。また、配線収容溝に嵌め込まれた電線はハウジングの外面から突出しない状態で配線できるため、電動工具による作業時において、電線が作業の邪魔になるといった問題が解消される。この場合、必要ならば、配線収容溝をカバーによって覆うことにより電線を隠蔽することも可能である。
【０００９】
【発明の実施の形態】
以下、本発明に係る第１の実施形態を図１〜図８に基づいて説明する。図１は照明装置を備えた電動工具の一例として電動ルーターの一部を破断して示す正面図、図２は同じく縦断面図、図３はソケット部を示す断面図である。また、図４は照明装置をハウジングに組み付けた状態を示す断面図である。図５〜８は照明装置を示している。
図１及び図２に示すように、電動ルーター１は、加工材Ｗ上に載置可能なテーブル２及びそのテーブル２上に縦向きに取り付けられるルーター本体４を備えている。ルーター本体４は、筒形のハウジング５を備えている。ハウジング５は上端が開放されたハウジング本体６と、下端が開放されたトップハウジング７とからなり、両ハウジング６，７はその開口端面を嵌め合わせた状態で固定ねじ９によって接合されている。
【００１０】
また、ルーター本体４は、テーブル２に対して高さ位置が調整可能に取り付けられている。すなわち、テーブル２上に立設された平断面略Ｃ形の保持台３にルーター本体４を上方から差し込むとともに、保持台３の合わせ面側に設けたボルト・ナットからなる締結具１０（図２にボルトのみを示す）を締め付けることでハウジング本体６を外側から抱え込んで支持する構成としている。従って、締結具１０を緩めた状態では、ルーター本体４は保持台３に対して自由に上下方向に移動することができ、これにより刃具（ビット）による切り込み深さを調整することができる。
【００１１】
ハウジング５内には駆動源としての電動モータ１１が縦向きに収容され、その電動モータ１１の軸部がハウジング本体６とトップハウジング７にそれぞれ軸受１３，１４によって回転可能に支持されている。電動モータ１１の出力軸１２は、ハウジング本体６の底板８を貫通して下方に延出され、その延出端（先端）には、ビット（図示省略）取付用の刃具保持器であるチャック１５が取り付けられている。電動モータ１１に対する駆動電力は、図示省略の外部の交流電源からコードを経てモータ電源回路部１１ａに供給されるようになっており、そのモータ電源回路部１１ａはトップハウジング７側に設けられている。なお、モータ電源回路部１１ａからハウジング本体６側に配置される電動モータ１１の固定子１１ｂ及び回転子１１ｃへ電力を供給する給電構造については従来と同様に構成されているため、その説明については省略する。
【００１２】
上記のように構成される電動ルーター１は、加工すべき加工材Ｗ上にテーブル２を載せるとともに、加工材Ｗに沿って横方向へスライドさせることで刃具による加工を行うことができる。
この加工作業時において、刃具にて加工される加工部位を照射することで加工材Ｗと刃具との相対位置の視認性を高めるために、電動ルーター１には照明装置２０が備えられている。以下、照明装置２０について説明する。
【００１３】
照明装置２０は、図５〜図８に示すように、大別して発光ダイオード（ＬＥＤ）２３及びＬＥＤ回路基板２４が組み付けられたライトベース２１と、ＬＥＤ回路基板２４に接続された電線（リード線）２５が保持される配線ガイド２２とから構成されている。ライトベース２１は絶縁材料としての硬質の合成樹脂からなり、中央に電動モータ１１の出力軸１２が挿通可能な貫通孔を有する略円盤状に形成されており、そのライトベース２１に適数個（本実施の形態では２個の場合を示す）の発光ダイオード２３が下向きに突出状に組み付けられている。
なお、発光ダイオード２３は透明樹脂製又はガラス製の保護カバー２３ａによって被覆されている。この発光ダイオード２３が本発明でいう発光部に対応する。また、ライトベース２１には、円周方向の適数箇所（例えば２箇所）に取付用の貫通孔２１ａが設けられている。
【００１４】
配線ガイド２２は断面略コ字形に形成されたポールであり、ライトベース２１の外周部から上方に向かって所定高さで直立されている。配線ガイド２２はライトベース２１と一体に形成されている。電線２５は配線ガイド２２内に収容されるとともに、その配線ガイド２２の長手方向に適宜間隔で点在的に設けられたクリップ２２ａによって両側から挟み込むようにして保持される。
【００１５】
また、電線２５は、照明装置２０の電源としての前記モータ電源回路部１１ａに対してコネクタ２６を介して接続される。このために、配線ガイド２２の先端には雄側部材としてのプラグ２７が設けられており、このプラグ２７を、図３に示すように、トップハウジング７側に設けた雌側部材としてのソケット２８に嵌合することによって電線２５の端子２５ａがモータ電源回路部１１ａ側の端子１１ｄに接続されるようになっている。なお、プラグ２７は、配線ガイド２２の上端部に形成されたボックス部２２ｂに上方から嵌め込むことで取り付けられ、弾性爪２７ａを介して抜け止めされる。また、ソケット２８はトップハウジング７に形成された取付孔７ａに上方から嵌め込むことで取り付けられ、弾性爪２８ａによって抜け止めされる。
上記のように、本実施の形態に係る照明装置２０は、発光部である発光ダイオード２３と、それに電力を供給する電線部とを、ライトベース２１と配線ガイド２２とを介してアッセンブリ化したものである。
【００１６】
そして、上記のように構成された照明装置２０は、ハウジング５におけるハウジング本体６内に収容されるように組み付けられ、その組付けは電動モータ１１の組付けに先行して実施される。すなわち、図４に示すように、ライトベース２１を下側にしてハウジング本体６内に差し込んで底板８の上面に載置する。底板８には発光ダイオード２３が差し込まれる照明用の貫通孔８ａ及び取付用のねじ孔８ｂがそれぞれ適数個ずつ形成されている。従って、貫通孔８ａに発光ダイオード２３が挿入されるようにライトベース２１を底板８上に載置すれば、ライトべース２１の貫通孔２１ａが底板８のねじ孔８ｂに一致するので、その貫通孔２１ａを通してねじ２９を締め付けることでライトベース２１を底板８上に固着する。
このとき、配線ガイド２２はハウジング本体６の内壁面に対して開口側が当接若しくは僅かな隙間を置いて対向する。これにより配線ガイド２２の溝内に配線された電線２５が溝から抜脱することなく保持される。また、配線ガイド２２のボックス部２２ｂがハウジング本体６に形成された受座部６ａ上に当接し、電線２５の端末のプラグ２７が上向き状態で位置決めされる。
【００１７】
このように照明装置２０をハウジング本体６に組み付けた後で、電動モータ１１の組み付けが行われる。なお、電動モータ１１はモータ電源回路部１１ａと共に予めトップハウジング７側に組み付けられており、これをハウジング本体６内に差し込み、そして、出力軸１２を軸受１４の内輪に挿入するとともに、トップハウジング７をハウジング本体６に被せる。その後、トップハウジング７とハウジング本体６の開口端部を相互に嵌合し、固定ねじ９によって結合する。
【００１８】
上記のハウジング本体６と、トップハウジング７との組付け時において、トップハウジング７とハウジング本体６の開口端部を嵌め合わせるとき、同時にトップハウジング７側に固定されたソケット２８に、配線ガイド２２側に固定されたプラグ２７が嵌合されるとともに、電線２５側の端子２５ａがモータ電源回路部１１ａ側の端子１１ｄに差し込まれ、モータ電源回路部１１ａと発光ダイオード２３とが電気的に接続される。
この場合、ソケット２８は、トップハウジング７に弾性爪２８ａを介して抜け止めされ、また、プラグ２７が嵌め込まれた配線ガイド２２のボックス部２２ｂは、ハウジング本体６の受座部６ａによって受けられ、更には横方向についても位置決めされているため、プラグ２７とソケットの２８の接続作業を確実かつ容易に行うことができる。かくして、配線ガイド２２はハウジング本体６の内壁面に沿う所定位置に確実に固定され、電動モータ１１の回転子１１ｃと干渉するといった問題が生じない。
上記のように組み付けられた照明装置２０は、電動ルーター１による加工作業時において、ハウジング本体６における底板８の貫通孔８ａを通して光を照射することで加工材Ｗと刃具との相対位置の視認性を高めることができる。
【００１９】
上記のように、本実施の形態によれば、照明装置２０をアッセンブリ化し、それを筒形のハウジング本体６内に差し込んで組み付ける構成としたので、電動ルーター１の組付け工程において、ハウジング５に対して他の機能部品と同様、１組付け部品として取り扱うことができる。すなわち、ハウジング本体６内に差し込んでから底板８にねじ２９で固定するといった作業を行うことで、電線２５の配線を含めた照明装置２０の組付け作業を簡単に行うことができる。
特に、発光ダイオード２３とモータ電源回路部１１ａとを接続する電線２５の配線は、筒形のハウジング５内を通る配線であるにもかかわらず、他部品との干渉を避けつつハウジング５内の所定位置に合理的に配線することができる。また、モータ電源回路部１１ａに対する電線２５の接続は、コネクタ２６を介して行う構成のため、その作業が極めて簡単である。
そして、電線２５がハウジング５内に配線されることから、見栄えが向上するとともに、電動ルーター１を使用して加工作業を行う場合において、電線２５が邪魔になるといった不具合が解消されることになる。
【００２０】
次に、本発明に係る第２の実施形態を図９及び図１０に基づいて説明する。この実施形態においては、照明装置２０におけるライトベース２１と配線ガイド２２とを別体に形成してそれらをハウジング本体６への組付け時に相互に接続する構成とし、また電線２５はハウジング本体６の外壁面に沿って配線する構成としたものである。
図１０に示すように、ハウジング本体６の外壁面には、上下方向（軸線方向）に沿って延びる配線収容溝３１が形成され、その配線収容溝３１内に配線ガイド２２を介して電線２５が収容配置される。配線ガイド２２は断面略Ｃ字形に形成されており、配線収容溝３１内にその外面がハウジング本体６の外壁面と面一となるように嵌め込まれる。これにより、予め配線ガイド２２内に配線されてクリップ２２ａにて保持された電線２５は、ハウジング本体６の壁面に沿って配線されるとともに、配線ガイド２２によって隠蔽される。
【００２１】
また、図９に示すように、配線ガイド２２の下端部には、横向きに開口する下部ボックス部２２ｃが一体に設けられており、その下部ボックス部２２ｃ内にはプラグ３０が嵌合されて弾性爪３０ａにて抜け止めされている。そして、下部ボックス部２２ｃは、ハウジング本体６の外側から該ハウジング本体６に形成された取付用の貫通孔６ｂを通してハウジング本体６内のライトベース２１のソケット部２１ｂに嵌合されて弾性爪２２ｄにて抜け止めされる。この嵌合によって、プラグ３０に取り付けられた電線２５の端子２５ｂが、ライトベース２１に設けられたＬＥＤ回路基板２４側の端子２４ａに接続される。
なお、図９に概略で示すように、モータ電源回路部１１ａに対する電線２５の接続については、前述した実施の形態と同様、プラグ２７とソケット２８を介して行うものとする。その場合、プラグ２７の抜き差し方向については、下部側と同様に横向きとし、また、プラグ２７を保持する上部のボックス部２２ｂがトップハウジング７の外側から貫通孔内に横向きに挿入されることで固定されるように構成する。
【００２２】
従って、上記のように構成された第２の実施形態によれば、照明装置２０のライトベース２１や電動モータ１１等の各種部品の組付けを終了したハウジング本体６及びトップハウジング７に対して、電線２５の配線作業をハウジング本体６及びトップハウジング７の外側から行うことができる。すなわち、上下端部にプラグ２７，３０を有する電線２５が組み付けられた配線ガイド２２をハウジング本体６の配線収容溝３１に嵌め込んでから、上下のボックス部２２ｂ，２２ｃをハウジング本体６及びトップハウジング７内に差し込み固定することによって、電線２５の配線作業を簡単に行うことができる。また、ハウジングの外側配線でありながら、配線収容溝３１の溝内に収容する構成のため、配線後の電線２５が加工作業の邪魔になるといった問題は解消される。なお、配線ガイド２２は、ボックス部２２ｂ，２２ｃのハウジングに対する嵌め合いによる固定の他、別の手段でハウジング本体６に固定する構成を採用することも可能である。
【００２３】
なお、本発明は図示の実施の形態に限定されるものではなく、その要旨を逸脱しない範囲内で適宜変更してもよい。
例えば、第１の実施形態においては、配線ガイド２２をライトベース２１に対して一体に形成したが、これを別体に形成し、第２の実施形態と同様、ボックス部２２ｃの差し込みによって結合する構成に変更してもよい。その場合、ＬＥＤ回路基板２４側と電線２５との接続はコネクタを介して行うように構成する。
また、第２の実施形態において、配線ガイド２２を省略し、それに代えてカバーによって覆う構成に変更してもよい。また、発光部としては発光ダイオードに限らず、電灯や蛍光灯を用いてもよい。また、プラグ２７をモータ電源回路部１１ａ側に設け、ソケット２８を配線ガイド２２側に設けてもよい。
【００２４】
また、ハウジング５は筒形に限らず、２つ割りであってもよい。また、実施形態では電動工具として電動ルーターの場合を例にして説明したが、照明装置２０を備えた電動工具であれば電動ルーターに限らず適用可能である。
また、実施形態では、モータ電源回路部１１ａから照明装置２０の発光部に電力を供給するとしたが、発光部に対する電源は、モータ電源回路部１１ａに限られるものではない。例えば、電源としてバッテリを備えたバッテリ式電動工具であれば、そのバッテリーに電線２５を接続すればよい。また、外部電源を用いる場合であっても、電源と発光部とを接続する電線のうち、ハウジングに対して配線される電線に関して本発明の配線ガイド２２を適用することが可能である。
【００２５】
【発明の効果】
以上詳述したように、本発明によれば、電動工具において、電源と照明装置とを接続する電気配線作業を簡便化できるとともに、配線後の電線が作業の邪魔になるといった問題を解消できる。
【図面の簡単な説明】
【図１】第１の実施形態に係る照明装置を備えた電動ルーターの一部を破断して示す正面図である。
【図２】同じく縦断面図である。
【図３】ソケット部を示す断面図である。
【図４】ハウジングに照明装置を組み付けた状態を示す断面図である。
【図５】照明装置の正面図である。
【図６】照明装置の側面図である。
【図７】照明装置の平面図である。
【図８】照明装置の底面図である。
【図９】第２の実施形態に係る配線構造を示す断面図である。
【図１０】図９のＢ−Ｂ線断面図である。
【符号の説明】
１     電動ルーター            ２  テーブル
４     ルーター本体            ６  ハウジング本体
７     トップハウジング      １１  電動モータ
１１ａ モータ電源回路部      ２０  照明装置
２１   ライトベース          ２２  配線ガイド
２３   発光ダイオード        ２４  ＬＥＤ回路基板
２５   電線                  ２６  コネクタ
２７   プラグ                ２８  ソケット
【図１】
0003916883.tif 000002
【図２】
0003916883.tif 000003
【図３】
0003916883.tif 000004
【図４】
0003916883.tif 000005
【図５】
0003916883.tif 000006
【図６】
0003916883.tif 000007
【図７】
0003916883.tif 000008
【図８】
0003916883.tif 000009
【図９】
0003916883.tif 000010
【図１０】
0003916883.tif 000011